(57)【要約】【課題】  フルカラーモード時における各カラー色成分画像のノイズを抑制し、かつ、トナー濃度を低く抑えて背景部へのカブリを低減し、更に、クライアントマシンでのフルカラーモード時における濃度指定を簡単に実現する。【解決手段】  イメージ部分のブラック成分を描画するモードか、テキスト部分のブラック成分を描画するモードかを判別するモード判別手段７と、現像電位以外の現像条件を用い、各カラートナーの単位面積当たりの最大トナー重量を、テキスト部分のブラックトナーのそれよりも少なくなるように調整する最大トナー重量調整手段８と、イメージ部分のブラック成分とテキスト部分のブラック成分とで現像電位を切り替え、イメージ部分のブラックトナーの単位面積当たりの最大トナー重量を、テキスト部分のブラックトナーのそれよりも少なくなるように調整する現像条件可変手段９とを備える。【選択図】  図１
2005148126.tif 000002
【特許請求の範囲】
【請求項１】
像担持体と、この像担持体上に静電潜像を形成する潜像形成手段と、複数のカラートナーにて前記静電潜像を現像電位を用いて可視像化する複数のカラー現像装置と、ブラックトナーにて前記静電潜像を現像電位を用いて可視像化するブラック現像装置とを備え、一枚のフルカラー画像におけるイメージ部分のブラック成分と、テキスト部分のブラック成分とを区別して印字処理可能な画像形成装置であって、
イメージ部分のブラック成分を描画するモードか、テキスト部分のブラック成分を描画するモードかを判別するモード判別手段と、
各現像装置に対し現像電位以外の現像条件を用い、各カラートナーの単位面積当たりの最大トナー重量を、テキスト部分のブラックトナーのそれよりも少なくなるように調整する最大トナー重量調整手段と、
モード判別手段の判別結果に基づき、イメージ部分のブラック成分とテキスト部分のブラック成分とで現像電位を切り替え、イメージ部分のブラックトナーの単位面積当たりの最大トナー重量を、テキスト部分のブラックトナーのそれよりも少なくなるように調整する現像条件可変手段とを備えたことを特徴とする画像形成装置。
【請求項２】
請求項１記載の画像形成装置において、
クライアントマシンと通信可能に接続されていることを特徴とする画像形成装置。
【請求項３】
請求項２記載の画像形成装置において、
クライアントマシンは、テキスト部分のブラック成分とイメージ部分のブラック成分とを分離して扱うことを可能とし、イメージ部分のブラックトナーの最大濃度を、テキスト部分のブラックトナーのそれよりも低い割合にすることを特徴とする画像形成装置。
【請求項４】
請求項１記載の画像形成装置において、
最大トナー重量調整手段は、トナー濃度、トナー帯電量、像担持体と現像装置の現像剤担持体との間のギャップ、又は、前記現像剤担持体上の現像剤搬送速度の少なくともいずれかを調整パラメータとすることを特徴とする画像形成装置。
【発明の詳細な説明】
【技術分野】
【０００１】
本発明は、複写機、プリンタ等の画像形成装置に係り、特に、複数のカラートナー及びブラックトナーによるフルカラー画像を形成する態様で、イメージ部分のブラック成分とテキスト部分のブラック成分とを分離して取り扱うことが可能な画像形成装置の改良に関する。
【背景技術】
【０００２】
従来の画像形成装置としては、カラー画像を形成可能とするものが既に提案されている。この種の画像形成装置は、一般に、感光体ドラム等の像担持体と、この像担持体上に静電潜像を形成する潜像形成デバイスと、複数のカラートナーにて前記静電潜像を現像電位を用いて可視像化する複数のカラー現像装置と、ブラックトナーにて前記静電潜像を現像電位を用いて可視像化するブラック現像装置とを備え、複数のカラートナー及びブラックトナーにてカラー画像が形成されるフルカラーモードとブラックトナーにてブラック単色画像が形成されるブラック単色モードとを選択可能とするものである。
【０００３】
ところで、この種の画像形成装置において、フルカラーモード時には、転写後の各カラー色成分（例えばＣ（シアン），Ｍ（マゼンタ），Ｙ（イエロ））である各カラートナーの最大ＴＭＡ（Toner Mass Area：単位面積当たりのトナー重量）をブラック色成分（Ｋ）であるブラックトナーの最大ＴＭＡより低くなるように設定し、ＣＭＹＫの多層カラー画像の合計濃度に制限をかけ、定着時間の短縮化を図りながら定着不良を有効に防止する方式が広く採用されている（例えば特許文献１参照）。
【０００４】
【特許文献１】特許第２７８２９７４号公報（課題を解決するための手段）
【発明の開示】
【発明が解決しようとする課題】
【０００５】
この種の画像形成装置においては、フルカラーモード時に、ＣＭＹの最大ＴＭＡをＫの最大ＴＭＡより低く（例えば７０％）設定するに際し、ＣＭＹの各カラー現像装置の現像電位（現像バイアスとイメージ電位との電位差）をブラック現像装置で使用している標準現像電位の７０％に低減させるようにする手法が採られるが、このような手法にあっては、現像電位が低くなる分、ＣＭＹの各色成分画像にノイズが増えてしまうばかりか、ＴＣ（Toner Concentration：トナー濃度）が高くなり、背景部にカブリが生じ易いという技術的課題が見られた。
【０００６】
また、上述した画像形成装置にあっては、例えばクライアントマシンにてフルカラーモード時における各色成分画像の濃度を指定する際に、ブラック画像のみならず、ＣＭＹの各カラー画像の濃度に対し個々的に上限（例えば７０％）を与え、合計濃度制限をかけるようにしなければならず、クライアントマシンでの色設定アルゴリズム（ルール）が複雑化してしまうという技術的課題が生ずる。
本発明は、以上の技術的課題を解決するためになされたものであって、フルカラーモード時における各カラー色成分画像のノイズを抑制し、かつ、トナー濃度を低く抑えて背景部へのカブリを低減し、更に、クライアントマシンでのフルカラーモード時における濃度指定を簡単に実現できるようにした画像形成装置を提供するものである。
【課題を解決するための手段】
【０００７】
すなわち、本発明は、図１に示すように、像担持体１と、この像担持体１上に静電潜像を形成する潜像形成手段２と、複数のカラートナーにて前記静電潜像を現像電位を用いて可視像化する複数のカラー現像装置３（例えば３ａ〜３ｃ）と、ブラックトナーにて前記静電潜像を現像電位を用いて可視像化するブラック現像装置４とを備え、一枚のフルカラー画像におけるイメージ部分のブラック成分と、テキスト部分のブラック成分とを区別して印字処理可能な画像形成装置であって、イメージ部分のブラック成分を描画するモード（イメージＫモード）か、テキスト部分のブラック成分を描画するモード（テキストＫモード）かを判別するモード判別手段７と、各現像装置３，４に対し現像電位以外の現像条件を用い、各カラートナーの単位面積当たりの最大トナー重量を、テキスト部分のブラックトナーのそれよりも少なくなるように調整する最大トナー重量調整手段８と、モード判別手段７の判別結果に基づき、イメージ部分のブラック成分とテキスト部分のブラック成分とで現像電位を切り替え、イメージ部分のブラックトナーの単位面積当たりの最大トナー重量を、テキスト部分のブラックトナーのそれよりも少なくなるように調整する現像条件可変手段９とを備えたものである。
ここで、図１に示す画像形成装置は、タンデム方式の中間転写型画像形成装置を例に挙げたものであり、本発明は本態様に限定されるものでないことは勿論である。
尚、図１において、符号５は像担持体１上のトナー画像を記録媒体としてのシート６に転写する転写手段である。
【０００８】
このような技術的手段において、本件は、一枚のフルカラー画像におけるイメージ部分（写真、ピットマップ形式のイラスト等）のブラック成分と、テキスト部分（文字、線画等）のブラック成分とを区別して印字処理可能な画像形成装置を前提とする。ここでいうフルカラー画像は、通常ＣＭＹ（シアン、マゼンタ、イエロ）＋Ｋ（ブラック）を想定するが、カラーの色成分としてはこれ以外の組み合わせをも含む。
また、本件において、像担持体１は静電潜像を可視像化したトナー画像が担持可能であれば適宜選定して差し支えなく、その形態はドラム状、ベルト状を問わず、数についても必ずしも単数である必要はなく、複数設けられていても差し支えない。また、像担持体１としては、感光体、誘電体などの静電潜像を形成可能な像形成担持体１ａは勿論、この像形成担持体１ａに加えて、像形成担持体１ａ上の各トナー画像を一時的に保持する中間転写体１ｂを設けた態様のものも含む。
更に、潜像形成手段２としては、各色成分の画像信号に基づいて静電潜像を形成可能なデバイスであれば、帯電デバイスと露光デバイスとを組み合わせたものや、露光デバイスの代わりにイオン流書込ヘッドを用いる態様など適宜選定差し支えない。
【０００９】
また、カラー現像装置３（３ａ〜３ｃ）及びブラック現像装置４については、各色成分カラートナー、ブラックトナーを収容したものであれば、一成分、二成分現像方式等現像方式は特に問わず、また、現像装置構成についても、並列的に配設する態様は勿論、ロータリ型現像装置として各色成分現像器を搭載するようにしてもよい。
これらの現像装置３，４は、通常トナーを含む現像剤が担持される現像剤担持体を有し、この現像剤担持体と静電潜像との間に現像電位を与え、この現像電位を用いて静電潜像を可視像化する態様であることが必要である。尚、ここでいう現像電位とは、現像に寄与する電位コントラストを意味し、具体的には現像剤担持体に印加される現像バイアスとトナーが載る静電潜像のイメージ電位との電位差を指す。
更に、モード判別手段７としては、画像から自動的に認識する態様、あるいは、クライアントマシンで画像を作成する際に、画像の部分毎にイメージ部分かテキスト部分かを指定しておく態様など適宜選定して差し支えない。
【００１０】
また、最大トナー重量調整手段８としては、現像電位以外の現像条件を用いて調整するものであれば適宜選定してよい。ここで、現像電位以外の現像条件としては、例えばトナー濃度、トナー帯電量、像担持体１と現像剤担持体との間のギャップ、又は、前記現像剤担持体上の現像剤搬送速度の少なくともいずれかを調整パラメータとすればよい。
そして、各カラートナーの最大ＴＭＡは通常同じに設定されるが、若干相違していてもよい。
【００１１】
更に、現像条件可変手段９は、イメージ部分のブラックトナーとテキスト部分のブラックトナーとで現像条件を変更するものであればよい。
この場合において、ブラックトナーの現像条件の変更態様としては、例えば以下の通りである。
テキスト部分のブラックトナーについては、ブラック現像装置４の現像電位として標準現像電位を用い、ブラックトナーの最大ＴＭＡを標準調整量に設定する一方、イメージ部分のブラックトナーについては、ブラック現像装置４の現像電位を標準現像電位よりも低く設定し、ブラックトナーの最大ＴＭＡをテキスト部分のそれよりも低く設定するものが挙げられる。
尚、カラートナーについては、カラー現像装置３（３ａ〜３ｃ）の現像電位として標準現像電位を用い、カラートナーの最大ＴＭＡを標準調整量に設定するようにすればよい。
ここで、イメージ部分のブラックトナーの最大ＴＭＡは標準調整量（テキスト部分のブラックトナーの最大ＴＭＡ）よりも低く設定されていればよく、その低減比率は任意であるが、カラーバランス等を考慮すると、カラートナーの最大ＴＭＡと略同程度になるように設定することが好ましい。言い換えれば、カラートナーの最大ＴＭＡの標準調整量は、イメージ部分のブラックトナーの最大ＴＭＡに略等しく、テキスト部分のブラックトナーの最大ＴＭＡよりも小さければよい。
また、ブラック現像装置４の現像電位を標準現像電位よりも低く設定する場合には、例えばイメージ電位を調整し、電位コントラストを標準（標準現像電位を用いた際の電位コントラスト）よりも低くするようにすればよい。
【００１２】
また、クライアントマシンと通信可能に接続されている通信対応の画像形成装置にあっては、クライアントマシンは、イメージ部分のブラック成分とテキスト部分のブラック成分とを区別できることが必要である。
従前は、フルカラーモード時にはカラートナー及びブラックトナーによる画像の各最大濃度について制限を設けるという合計濃度制限を設けていたが、本態様は、各カラートナーによるカラー画像の最大濃度については制限を設けずに、ブラックトナーによるブラック画像の最大濃度についてのみ制限を設ければ足りる。
【発明の効果】
【００１３】
本発明によれば、現像電位以外の現像条件を用い、各カラートナーの最大ＴＭＡをテキスト部分のブラックトナーのそれよりも少なくなるように調整し、現像条件可変手段にて、フルカラーモード時には、現像電位にてイメージ部分のブラックトナーの最大ＴＭＡを標準調整量より低く設定し、かつ、カラートナーについては標準現像電位で最大ＴＭＡを標準調整量に設定するようにしたので、フルカラーモード時における各カラー色成分画像のノイズを抑制し、かつ、トナー濃度を低く抑えて背景部へのカブリを低減することができるばかりか、クライアントマシンによる濃度指定についても、フルカラーモード時にブラックトナーに対してのみ濃度制限を設けるだけで済む分、濃度指定に対するルールを簡単にすることができ、通信対応の環境を簡単に構築することができる。
【発明を実施するための最良の形態】
【００１４】
以下、添付図面に示す実施の形態に基づいてこの発明を詳細に説明する。
◎実施の形態１
図２は本発明が適用された画像形成装置のシステム構成例の一例を示す説明図である。
同図において、符号１０は例えばＬＡＮ（Local Area Network）環境にあるユーザー環境であり、このユーザー環境１０は、クライアントマシン１１とプリンタ等の画像形成装置（ＩＯＴ：Image Output Terminal）１３とをデジタルフロントエンド（ＤＦＥ：Digital Front End）１２を介して相互に通信可能にネットワーク接続したものである。
ここで、クライアントマシン１１は、例えばパーソナルコンピュータやワークステーションであり、プリントジョブ指令等を所定の画像形成装置１３に送信するようになっている。また、ＤＦＥ１２はクライアントマシン１１からのデータを変換して画像形成装置１３に送出するようになっている。
【００１５】
本実施の形態において、画像形成装置１３は、例えば図３に示すように、電子写真方式の中間転写型画像形成装置であり、少なくとも例えばＣＭＹＫ（Ｃ（シアン），Ｍ（マゼンタ），Ｙ（イエロ），Ｋ（ブラック））のカラートナー及びブラックトナーを用いたカラー画像を形成するフルカラーモードと、ブラックトナーを用いたブラック単色モードとを操作パネル等にて選択可能としたものである。
この画像形成装置１３は、所定の方向に回転する感光体ドラム２１を有し、この感光体ドラム２１に対向して中間転写ベルト３０を配設したものである。
そして、前記感光体ドラム２１の周囲には、感光体ドラム２１を帯電する帯電器２２、帯電された感光体ドラム２１に各色成分（本例では、Ｃ（シアン），Ｍ（マゼンタ），Ｙ（イエロ），Ｋ（ブラック））の静電潜像を形成するレーザ走査装置等の露光装置２３、感光体ドラム２１上に形成された静電潜像を各色成分に対応するトナーにより現像する現像装置２４、感光体ドラム２１上の各色成分トナー画像を中間転写ベルト３０に一次転写する転写ロール等の一次転写装置２５、及び、感光体ドラム２１上の残留トナーを清掃するドラムクリーナ２６が順次配設されている。
【００１６】
本実施の形態において、現像装置２４は、所謂ロータリ型現像装置であり、例えば回転ホルダ２４ａに各色成分トナー（シアントナー、マゼンタトナー、イエロトナー、ブラックトナー）が収容された現像器５０（具体的には５０Ｃ，５０Ｍ、５０Ｙ，５０Ｋ）を搭載し、感光体ドラム２１に対向する現像部位に間欠的に回転移動させるものである。
そして、このロータリ型現像装置２４は、フルカラーモード時には全ての現像器５０を使用し、ブラック単色モード時にはブラック現像器５０Ｋのみを使用するようになっている。
更に、中間転写ベルト３０は複数の張架ロール３１〜３４に掛け渡され、例えば張架ロール３１を駆動ロールとして感光体ドラム２１と共に循環移動するようになっており、一次転写装置２５は、この中間転写ベルト３０を挟んで感光体ドラム２１に対向配置されている。尚、符号３５は中間転写ベルト３０上の残留トナーを清掃するベルトクリーナである。
【００１７】
更にまた、符号４０は中間転写ベルト３０の張架ロール３４をバックアップロールとして中間転写ベルト３０を挟んで対向配置され、中間転写ベルト３０上の多重転写画像をシートＳに一括転写（二次転写）する二次転写装置である。
また、本実施の形態において、シート搬送系は、図示外のシートトレイからシートＳを繰り出し、位置決め用のレジストロール４１にてシートＳを一旦位置決めした後、入口ガイドシュート４２を介して二次転写装置４０の転写部位へ導き、転写部位を通過したシートＳを出口ガイドシュート４３、搬送ベルト４４を経て定着装置４５へと導き、この定着装置４５にてシートＳ上に転写された多重転写画像を定着するようになっている。
【００１８】
そして、本実施の形態において、ロータリ型現像装置２４の各現像器５０の基本的構成は、例えば図４に示すように、感光体ドラム２１に対向して開口し且つ各色成分トナーが含まれる現像剤が収容された現像ハウジング５１を有し、この現像ハウジング５１の開口部５２に面して現像ロール５３を配設し、この現像ロール５３の背面側には例えば現像ハウジング５１内を仕切り板５７で区画することにより現像剤循環経路５８を形成すると共に、この現像剤循環経路５８内に撹拌搬送用の一対の撹拌オーガー５９，６０を配設するようにしたものである。尚、符号５６は現像ロール５３上の現像剤の層厚を規制するトリミング部材である。
ここで、現像ロール５３は、回転可能な非磁性スリーブ５４内に複数の磁極が配列された磁極ロール５５を固定的に配設したものであり、非磁性スリーブ５４には現像バイアスが印加されるバイアス電源６１が接続されている。
【００１９】
特に、本実施の形態では、ブラック現像器５０Ｋは、写真部分のブラック（Ｋ）成分を描画するモード（以下写真Ｋモードという）時にブラッククトナーの最大ＴＭＡが例えば１００％の標準調整量に設定されているのに対し、シアン、マゼンタ、イエロの各現像器５０Ｃ，５０Ｍ，５０Ｙは、各カラートナーの最大ＴＭＡがブラックトナーの最大ＴＭＡより少ない比率、例えば標準調整量の７０％程度に設定されている。
ここで、このような各トナーの最大ＴＭＡの設定手法としては、図４に示すように、トナー濃度、トナー帯電量、感光体ドラム２１と現像ロール５３との間のギャップｄ（ＤＲＳ：Drum Roll Spaceの略）、又は、前記現像ロール５３上の現像剤搬送速度ｖ（ＭＲＳ：Magroll Speedの略、但し、マグロールは現像ロール５３に相当）の少なくともいずれかを調整パラメータとして調整するようにすればよい。
例えばトナー濃度についてはブラックトナーに比べてカラートナーの方を低くしたり、トナー帯電量についてはブラックトナーに比べてカラートナーの帯電量を高く設定したり、ＤＲＳについてはブラック現像器５０Ｋに比べてカラー現像器５０Ｃ等のＤＲＳを広く設定したり、ＭＲＳについてはブラック現像器５０Ｋに比べてカラー現像器５０Ｃ等のＭＲＳを遅く設定するようにすればよい。
【００２０】
また、本実施の形態においては、制御装置１００は、図５に示すように、ブラック現像器５０Ｋに対応する潜像形成装置１１０（帯電器２２、露光装置２３（図３参照））に画像信号を送ることで、現像電位コントラストを制御するものであり、イメージ電位切替器１０１により、文字部分のブラック（Ｋ）成分を描画するモード（文字Ｋモード）と写真Ｋモードとでイメージ電位を切り替え、文字Ｋモードでは、ブラックトナーの最大ＴＭＡが得られる電位コントラストを設定する一方、写真Ｋモードでは、それよりも低い電位コントラストを設定するようになっている。
尚、カラー現像器５０Ｃ（５０Ｍ，５０Ｙ）については、各カラートナーの最大ＴＭＡが得られる電位コントラストを予め設定したものになっている。
更に、本実施の形態では、前記制御装置１００にはクライアントマシン１１（図２参照）が通信可能に接続されており、クライアントマシン１１からも文字Ｋモード又は写真Ｋモードを選択可能になっている。
【００２１】
次に、本実施の形態に係る画像形成装置の作像プロセスについて説明する。
今、フルカラーモードが選択されているとすると、図２及び図６に示すように、各色成分（ＣＭＹＫ）トナーによる画像が感光体ドラム２１上に順次形成され、中間転写ベルト３０に順次一次転写された後、二次転写装置４０にてシートＳに一括転写される。
このような作像プロセスにおいて、図６に示すように、各カラー画像（ＣＭＹ）と文字部分のブラック画像（文字部分Ｋ）の現像プロセスは、所定のイメージ電位Ｖi0に対して標準現像電位Ｖd0を用いて行うのに対し、写真部分のブラック画像（写真部分Ｋ）の現像プロセスは、よりコントラストの低いイメージ電位Ｖi1を用いることで、標準現像電位Ｖd0よりも低い低現像電位Ｖd1を用いて行うものである。
【００２２】
このとき、各カラー画像（ＣＭＹ）は、標準現像電位Ｖd0を用いた現像プロセスにより、最大ＴＭＡが７０％である画像として得られ、また、写真部分Ｋは、低現像電位Ｖd1を用いることで、最大ＴＭＡが７０％である画像として得られる。
特に、カラー画像（ＣＭＹ）については、標準現像電位Ｖd0を用いた現像プロセスを行うようにしているため、低現像電位Ｖd1を用いる場合に比べて、本来持っている分解能をフルに使うことができる。
一方、文字部分Ｋは、図６に示すように、標準現像電位Ｖd0を用いることで、最大ＴＭＡが１００％である画像として得られる。
【００２３】
また、本実施の形態において、クライアントマシン１１から画像形成装置１３にプリント指令を出す場合を想定すると、例えばフルカラーの写真をプリントする際には、ブラックトナーの最大ＴＭＡを７０％に設定することが必要であるが、図７（ａ）に示すように、クライアントマシン１１にて写真Ｋモードを指定すれば、画像形成装置１３は自動的にブラックトナーの最大濃度を７０％に落とす。尚、クライアントマシン１１にて文字Ｋモードを指定する場合には、画像形成装置１３は自動的にブラックトナーの最大濃度を１００％のまま使用する。
尚、従前の比較の形態モデルにあっては、フルカラーの写真をプリントする場合には、ＣＭＹＫの各トナーの最大ＴＭＡを１００％から７０％に落として使用する態様が採られていたので、図７（ｂ）に示すように、例えばＤＦＥ１２が各色トナー（ＣＭＹＫの各トナー）の最大濃度を夫々７０％に制限するようにしなければならなかった。
【実施例１】
【００２４】
次に、本実施の形態モデルを用い、ブラック（Ｋ）トナーのＴＭＡ、現像電位Ｖdを１００％とした場合、文字モード（文字Ｋモードに相当）時及び写真モード（写真Ｋモードに相当）時における各トナーのＴＭＡ、現像電位Ｖdは図８に示すように設定される。
この状態において、文字モード、写真モードを実現し、文字モードのブラック単色画像（Ｋ画像）に対し総合評価を、また、写真モードのフルカラー画像（ＣＭＹＫ画像）に対し、ＣＭＹの各カラー画像の定着性、ノイズ、トナー濃度ＴＣ及び総合評価を行ったところ、図８に示す結果が得られた。
同図によれば、文字モードのブラック単色画像の総合評価は良好である一方、写真モードのフルカラー画像については、ＣＭＹの各カラー画像の定着性は良く、そのノイズが少なく、また、トナー濃度ＴＣも低く、背景部のカブリも少ないことが確認され、総合評価は良好であった。
そして、本実施例において、トナー濃度ＴＣとＴＭＡとの関係を調べたところ、図９に示す結果が得られた。
同図によれば、ＴＭＡを低く抑えるためには、トナー濃度ＴＣを低く設定すればよいことが理解される。
【００２５】
一方、比較例として、図１０に示すように、ブラック（Ｋ）トナーのＴＭＡ、現像電位Ｖdを１００％とした場合、文字モード時及び写真モード時における各トナーのＴＭＡ、現像電位Ｖdを夫々調整した態様のものを挙げ、実施例１と同様な評価を行ったところ、図１０に示す結果が得られた。
同図によれば、文字モードのブラック単色画像の総合評価は良好であるが、写真モードのフルカラー画像については、ＣＭＹの各カラー画像の定着性は良いものの、そのノイズが多い分、画像が荒く見え、また、トナー濃度ＴＣも高く背景部のカブリが多いことが確認され、総合評価は良好とは言えないものであった。
【図面の簡単な説明】
【００２６】
【図１】本発明に係る画像形成装置の概要を示す説明図である。
【図２】実施の形態１に係る画像形成装置のシステム構成例を示す説明図である。
【図３】実施の形態１に係る画像形成装置の全体構成を示す説明図である。
【図４】実施の形態１で用いられる各現像器の基本構成を示す説明図である。
【図５】実施の形態１で用いられる各現像器に対する現像電位コントラストの制御系を示す説明図である。
【図６】写真Ｋモード時及び文字Ｋモード時の現像プロセスを示す説明図である。
【図７】（ａ）は本実施の形態モデルにおけるプリント動作過程を示す説明図、（ｂ）は比較の形態モデルにおけるプリント動作過程を示す説明図である。
【図８】実施例１における写真モードのフルカラー画像、文字モードのブラック単色画像の評価例を示す説明図である。
【図９】実施例１におけるトナー濃度ＴＣとＴＭＡとの関係を示す説明図である。
【図１０】比較例における写真モードのフルカラー画像、文字モードのブラック単色画像の評価例を示す説明図である。
【符号の説明】
【００２７】
１…像担持体，１ａ…像形成担持体，１ｂ…中間転写体，２…潜像形成手段，３（３ａ〜３ｃ）…カラー現像装置，４…ブラック現像装置，５…転写手段，６…シート，７…モード判別手段，８…最大トナー重量調整手段，９…現像条件可変手段
【図１】
2005148126.tif 000003
【図２】
2005148126.tif 000004
【図３】
2005148126.tif 000005
【図４】
2005148126.tif 000006
【図５】
2005148126.tif 000007
【図６】
2005148126.tif 000008
【図７】
2005148126.tif 000009
【図８】
2005148126.tif 000010
【図９】
2005148126.tif 000011
【図１０】
2005148126.tif 000012